(57)【要約】【課題】  装填された光ディスクがＤＶＤ−ＲＡＭであることを簡潔かつ短時間に、確実に判別できる光ディスク判別方法を提供することを目的とする。【解決手段】  ディスク判別の際にＡＳ信号に含まれる特定のノイズ成分を検出することによりＤＶＤ−ＲＡＭと判定する。ひとつの手段としては、ＡＳ信号のノイズ成分を抽出し、ノイズ発生の周期がディスクの回転数により決まるＣＡＰＡ位置の通過周期と同期していることを判定基準とする。【選択図】  図１
2006018931.tif 000002
【特許請求の範囲】
【請求項１】
回転駆動される光ディスクの記録面に光ビームを照射し、前記記録面で反射された光ビームを受光する受光装置の出力信号からノイズ成分を検出し、前記ノイズ成分とＤＶＤ−ＲＡＭのアドレス部との相関性を判定して光ディスクの種類を判別する
光ディスク判別方法。
【請求項２】
ノイズ成分の検出に際しては、焦点位置を横断するように前記受光装置を移動させる
請求項１記載の光ディスク判別方法。
【請求項３】
ノイズ成分の検出に際しては、焦点位置に維持するように受光装置を移動させる
請求項１記載の光ディスク判別方法。
【請求項４】
ノイズ成分の検出に際しては、焦点位置の近傍に受光装置を移動させる
請求項１記載の光ディスク判別方法。
【請求項５】
前記受光装置で受光した反射光の強度の信号、またはこの信号から変換されたＡＳ信号から検出したノイズ成分の振幅レベルと設定したスレッシュレベルを比較してノイズの有無を判断して光ディスクの種類を判別する
請求項２〜請求項４の何れかに記載の光ディスク判別方法。
【請求項６】
前記受光装置で受光した反射光の強度の信号、またはこの信号から変換されたＡＳ信号からノイズ成分を検出し、このノイズ成分の振幅レベルとさらにローパスフィルタを通過させた信号成分の振幅レベルとのレベル差に基づいて光ディスクの種類を判別する
請求項２〜請求項４の何れかに記載の光ディスク判別方法。
【請求項７】
前記受光装置で受光した反射光の強度の信号、またはこの信号から変換されたＡＳ信号からノイズ成分を検出し、そのノイズ発生の間隔に応じて光ディスクの種類を判別する
請求項２〜請求項４の何れかに記載の光ディスク判別方法。
【請求項８】
前記受光装置で受光した反射光の強度の信号、またはこの信号から変換されたＡＳ信号からノイズ成分を検出し、
信号振幅を測定し始める測定開始タイミングと信号振幅の測定を中断する測定中断タイミングを生成し、前記測定中断タイミングから次の前記測定開始タイミングまでの区間の前記ノイズ成分をマスキングして計測しないで光ディスクの種類を判別する
請求項２〜請求項４の何れかに記載の光ディスク判別方法。
【請求項９】
回転駆動される光ディスクの記録面で反射された光ビームの強度に応じた信号からノイズ成分を検出するノイズ検出手段と、
前記ノイズ検出手段でのノイズ検出結果を用いて装填されたディスクの種類を判定するディスク判別手段と
を持ち、ＤＶＤ−ＲＡＭアドレス部の位置に対応するノイズ成分を検出した場合に、装填されたディスクの種類をＤＶＤ−ＲＡＭと判定するよう構成した
光ディスク用信号処理回路。
【請求項１０】
ノイズ検出手段は、
前記光ディスクの記録面で反射された光ビームの強度に応じた信号に対するスレッシュレベルを保持するスレッシュレベル保持手段を有し、
前記光ディスクの記録面で反射された光ビームの強度に応じた信号と前記スレッシュレベル保持手段が保持しているスレッシュレベルとを比較してＤＶＤ−ＲＡＭアドレス部の位置に対応するノイズ成分の有無を検出して装填されたディスクの種類をＤＶＤ−ＲＡＭと判定するよう構成した
請求項９に記載の光ディスク用信号処理回路。
【請求項１１】
ノイズ検出手段は、
前記光ディスクの記録面で反射された光ビームの強度に応じた信号の間隔を検出する信号間隔計測手段と、
ＤＶＤ−ＲＡＭアドレス部の位置に対応するノイズ成分の間隔を計測して基準値と比較して装填されたディスクの種類をＤＶＤ−ＲＡＭと判定する信号間隔計測手段と
を有する請求項９に記載の光ディスク用信号処理回路。
【請求項１２】
ノイズ検出手段は、
前記光ディスクの記録面で反射された光ビームの強度に応じた信号から不要ノイズの通過を阻止するノイズ除去フィルタと、
前記光ディスクの記録面で反射された光ビームの強度に応じた信号と前記ノイズ除去フィルタを通過した信号振幅とを比較してＤＶＤ−ＲＡＭアドレス部の位置に対応するノイズ成分を検出して装填されたディスクの種類をＤＶＤ−ＲＡＭと判定するよう構成した信号振幅計測手段と
を有する請求項９に記載の光ディスク用信号処理回路。
【請求項１３】
ノイズ検出手段は、
前記光ディスクの記録面で反射された光ビームの強度に応じた信号から不要ノイズの通過を阻止するノイズ除去フィルタと、
前記光ディスクの記録面で反射された光ビームの強度に応じた信号の信号振幅と前記ノイズ除去フィルタを通過した信号振幅とを比較してノイズの有無を判断する信号振幅計測手段と、
受光手段がＣＡＰＡ領域の通過完了するタイミングを生成して前記信号振幅計測手段に信号振幅の測定期間と測定しないマスキング区間とを指示する窓関数形成手段
を有する請求項９に記載の光ディスク用信号処理回路。
【請求項１４】
請求項９〜請求項１３のいずれかに記載の光ディスク用信号処理回路を備えた光ディスク再生装置。
【請求項１５】
回転駆動される光ディスクの記録面で反射された光ビームの強度に応じた信号からノイズ成分を検出するノイズ検出手段と、
前記ノイズ検出手段でのノイズ検出結果を用いて装填されたディスクの種類を判定するディスク判別手段と
を持ち、ＤＶＤ−ＲＡＭアドレス部の位置に対応するノイズ成分を検出した場合に、装填されたディスクの種類をＤＶＤ−ＲＡＭと判定するよう構成するとともに、
前記ノイズ検出手段が検出したＤＶＤ−ＲＡＭアドレス部の位置に対応するノイズ成分の間隔を計測する信号間隔計測手段、
前記光ディスクがＤＶＤ−ＲＡＭの場合に回転駆動速度が目標値になった場合のＤＶＤ−ＲＡＭアドレス部の位置の間隔を記憶した目標間隔情報保持手段と、
前記信号間隔計測手段が検出した時々のノイズ成分の間隔と前記目標間隔情報保持手段が保持している間隔との偏差が小さくなるように前記光ディスクを回転駆動するスピンドルモータの回転を制御する回転制御手段と
を設け、前記ディスク判別手段が装填されたディスクの種類をＤＶＤ−ＲＡＭと判定した場合に前記回転制御手段によって前記スピンドルモータの回転を制御するよう構成した
光ディスク再生装置。
【発明の詳細な説明】
【技術分野】
【０００１】
本発明は光ディスク判別方法および光ディスク用信号処理回路に関するものである。
【背景技術】
【０００２】
ＣＤ（Compact Disc）、ＤＶＤ（Digital Versatile Disk）と呼ばれる円盤状記録媒体は、ピットと呼ばれるくぼみ、または相変化膜の化学変化を、内周から外周へ、スパイラル状に記録することにより形成する。この円盤状記録媒体（以下、光ディスクと称す）を使用する光ディスク再生装置は、光ディスクにレーザーを照射し、反射したレーザー光の光量からピットの有無を判断する。
【０００３】
このピットを読み取るために光ディスク再生装置では、光ディスクを一定の回転数で回転させる回転制御と、レーザーの焦点位置を制御するためのフォーカス制御と、スパイラル状に記録されたピットにレーザー光を正しく走査させるためのトラッキング制御が行われる。
【０００４】
以下に、フォーカス制御に使用されるフォーカスエラー信号（以下、ＦＥ信号）、オールサム信号（以下、ＡＳ信号）と、トラッキング制御に使用されるプッシュプルトラッキングエラー信号（以下、ＰＰＴＥ信号）、位相差トラッキングエラー信号（以下、ＤＰＤＴＥ信号）、ウォブル信号について述べる。
【０００５】
図２５は光ディスク再生装置の光ピックアップ３とその周辺回路を示している。
光ピックアップ３は、レーザー発光素子の他に、エラー信号を生成するための４分割フォトディテクタ３０と、ビームスポットのフォーカスを制御するためにフォーカス駆動回路４０Ｂによって運転され光ディスク１の記録面と接近離間方向に対物レンズを上下動させるフォーカス駆動部３１と、光ディスク１の記録面のトラックを追従するようにトラッキング駆動回路４０Ｃによって運転されトラッキングを制御するために光ディスク１のトラックを横切る方向に微少シフトさせるためのトラッキング駆動ドライブ３２を具備している。３３はトラバース駆動回路４０Ａによって運転され光ピックアップ３の全体を光ディスク１の径方向に移動させるスレッド駆動部である。２は光ディスク１を回転駆動するスピンドルモータである。
【０００６】
ＡＳ信号３４は、４分割フォトディテクタ３０の出力ａ〜ｄを全て加算した信号である。この信号は反射光量のレベルを表す信号として扱われる。
ＦＥ信号３７は、４分割フォトディテクタ３０の出力の対角の出力を加算した信号である。この信号は、フォーカス焦点からの偏差量を表す信号として扱われる。
【０００７】
ＰＰＴＥ信号３５は、４分割フォトディテクタ３０のうちトラック方向に平行な２つの信号を加算した信号である。ＤＰＤＴＥ信号３８は、４分割フォトディテクタ３０のうち対角上の位相差量を位相比較器３９で出力した信号である。ＰＰＴＥ信号とＤＰＤＴＥ信号は、トラッキング中心からの偏差量を表す信号として扱われる。
【０００８】
４０はコントローラで、ＡＳ信号３４，ＰＰＴＥ信号３５，ＦＥ信号３７，ＤＰＤＴＥ信号３８などを入力信号として、前記トラバース駆動回路４０Ａ，フォーカス駆動回路４０Ｂ，トラッキング駆動回路４０Ｃを介して光ピックアップ３を運転する。
【０００９】
複数の種類の光ディスク１、基材厚、トラックピッチあるいは記録密度などが異なる。光ディスク再生装置は、その装置自身で、この複数の種類の光ディスク１に対応しなければならない。このため、記録・再生装置に装着されたディスクの種類を判別し装置の状態を各光ディスク１に適合した状態にする必要がある。
【００１０】
ＣＤ，ＤＶＤのような光ディスクの種類を判別する手法として、いくつか提案されている。特開昭６１−２８３０３５号公報によれば、フォーカスサーボによって得られるフォーカスエラー信号とその信号をもとに得られたピーク値とから光ディスクの光の反射率を判別して光ディスクの判別が行われている。
【００１１】
また、特開昭６２−７６０６１号公報には、光ディスクの焦点位置に到達した状態で光ピックアップから得られる信号のレベルによってディスクの種類を判別する方法が開示されている。
【００１２】
これらの方法で光ディスクの種類を判別する際、ＣＤレーザーとＤＶＤレーザー両方を備える２レーザー方式の光ディスク再生装置の場合、通常、信頼性をあげるために図２６に示すような手順で、ＣＤレーザー、ＤＶＤレーザー両方で信号レベルを測定し、それぞれの特徴量の比率や特性等から光ディスクの種類を判別する。
【００１３】
まず、光ディスクの有り無しを判別後（１５０）、光ディスクがあった場合ＣＤレーザー（１５１）点灯で光ディスクの特徴量を抽出する（１５２）。同様にＤＶＤレーザー（１５３）でも特徴量を抽出する（１５４）。そして、抽出した特徴量の特性からＤＶＤであるかＣＤであるかを判別し、光ディスク再生装置の状態を使用しようとしている光ディスクに適合した状態にパラメータを設定する（１５６）。
【００１４】
近年、書き込み可能な光ディスクとして、ＤＶＤ−ＲＡＭ（Digital Versatile Disk Random Access Memory）が主流になっている。
このような記録可能なＤＶＤ−ＲＡＭは、ＣＡＰＡ（Complementary Allocated Pit Address）と呼ばれる、エンボスされた記録不可能なアドレス部と、記録可能なデータ部を有する構造となっている。このような記録可能な光ディスクは、図２７に示すように、アドレス部を表すＣＡＰＡとデータを表すデータ部が一対となり、光ディスク上に記録される。
【００１５】
ＣＡＰＡとＣＡＰＡの間のデータ記録部分（ランドまたはグルーブ）は半径方向に蛇行して形成されており、この蛇行の形状をウォブルと呼ぶ。ウォブルの周期は常に一定になるように記録される。トラックがウォブルを有する場合、ウォブリングを信号として出力したものをウォブル信号（以下、ＷＢＬ信号）といい、図２５の符号３６にあたる。ＷＢＬ信号３６は、Ｓ／Ｎ比を良くするために一般に狭帯域のバンドパスフィルタ（ＢＰＦ）３６Ａを通して検出する。
【００１６】
しかし、光ディスク再生装置がＤＶＤ−ＲＡＭを再生の対象と判別する場合、前記した判別方法を使用して判別することは容易でない。なぜならば、ＤＶＤ−ＲＡＭは、その他の書き込み可能な光ディスク（ＤＶＤ−ＲやＤＶＤ−ＲＷ）と物理的な形状が似ているため、前述したディスク判別方法で得られた信号レベルで、ＤＶＤであるかＤＶＤ−ＲＡＭであるかを判別するための十分なマージンを得ることが出来ないためである。
【００１７】
そのため、ＤＶＤかＤＶＤ−ＲＡＭかを判別する方法として、従来の光ディスク再生装置では、まず前述したディスクの種類判別方法でＤＶＤかＣＤかを判別し、ＤＶＤであった場合フォーカスオンさせてから、図２８に示すような手法で、ＰＰＴＥで生成させたトラッキングエラーの振幅がどの程度得られたかによって、ＤＶＤであるかＤＶＤ−ＲＡＭであるかを判断する。
【００１８】
図２８では、まず、図２６に示した従来のＣＤ，ＤＶＤ判別を行い（１５７）、フォーカスオンする（１５８）。ＤＶＤであった場合、ＰＰＴＥの振幅を一定時間測定する（１６０）。ＰＰＴＥの振幅が一定以上得られた場合（１６１）ＤＶＤ−ＲＡＭと判別し（１６２）、そうでない場合はＤＶＤ−ＲＡＭではないと判別（１６３）する。ＰＰＴＥの振幅はランドとグルーブの案内溝深さによって振幅の相対値が異なることが一般的に知られおり、図２９に示すようにＤＶＤとＤＶＤ−ＲＡＭで明確な差を得る。
【００１９】
ＤＶＤ−ＲＡＭは、光ディスク内周から外周へ定められたトラック本数ごとにゾーンと呼ばれる区間で区切られており、データ部に関しては、ランド／グルーブと呼ばれる、内周から外周に向けてスパイラル状にトラックと呼ばれる溝を作り、ランド／グルーブ両方にピットが記録されていく。
【００２０】
従来のＣＤ，ＤＶＤのような、ピット列で構成されたスパイラル状のトラックでは、特にゾーン分割はされておらず、内周から外周まで線速度一定で同じ記録密度で記録される。したがって、このような光ディスクでは、回転制御にＣＬＶ制御を用いて回転させる。
【００２１】
しかし、ＤＶＤ−ＲＡＭはゾーンごとにトラック一周分に記録されているセクタ数が異なり、ゾーン毎に回転数指定が必要となる。そのため、ゾーン毎に一定の回転速度で回転制御するためのＺＣＬＶ（Zone Constant Linear Velocity）方式が用いられる。ＺＣＬＶ方式を用いてあるゾーンを再生する場合、回転数は一定であり、トラック一周分に記録されているセクタ数も一定であるため、ゾーンの内周側と外周側で線速度が異なる。
【００２２】
ＺＣＬＶ制御を行うため、従来の光ディスク再生装置は一般的に、回転制御に用いるブラシレスモータから検出されるＦＧパルスを制御信号としてディスクモータの回転数を一定に保つ制御を行うＦＧ制御か、ウォブル信号の平均周波数が一定となるようにディスクモータの回転数を一定に保つ制御を行うウォブルＣＬＶ制御が用いられる。
【特許文献１】特開昭６１−２８３０３５号公報
【特許文献２】特開昭６２−０７６０６１号公報
【特許文献３】特開平０９−３２０１８０号公報
【発明の開示】
【発明が解決しようとする課題】
【００２３】
先に説明した従来の光ディスク判別方法の場合、ＤＶＤ−ＲＡＭであることを判別するためにＰＰＴＥ信号等のエラー信号の振幅を測定して判別を行う。しかしながら、このような判別方法を行う場合、エラー信号の測定を行うための処理が必要であるため、判別に時間がかかってしまい、光ディスクを装填して運転を開始してから再生映像などがディスプレイ装置の画面に映像として現れるまでに比較的長い時間を要する問題がある。
【００２４】
また、従来の光ディスク再生装置では、ＤＶＤ−ＲＡＭディスクを再生する場合のディスク回転制御として、ＦＧ制御かウォブルＣＬＶ制御を使用する必要があるが、ウォブルＣＬＶ制御を使用する場合は、ウォブル信号を回転制御信号として用いるが、ウォブル信号を得るには、光ディスク１から得られた信号の成分のうち、ピットの成分とトラッキング制御信号の成分を除去するためにバンドパスフィルタを通さなければならないため、ある一定の回転数に達するまで正常にウォブル信号を得られないという問題がある。
【００２５】
本発明は、装填されたディスクがＤＶＤ−ＲＡＭであることを従来よりも簡潔かつ短時間に、確実に判別することができ、光ディスクを装填して運転を開始してからディスプレイ装置の画面に再生映像を比較的短時間で表示させることができる光ディスク判別方法および光ディスク用信号処理回路を提供することを目的とする。
【課題を解決するための手段】
【００２６】
本発明の請求項１記載の光ディスク判別方法は、回転駆動される光ディスクの記録面に光ビームを照射し、前記記録面で反射された光ビームを受光する受光装置の出力信号からノイズ成分を検出し、前記ノイズ成分とＤＶＤ−ＲＡＭのアドレス部との相関性を判定して光ディスクの種類を判別することを特徴とする。
【００２７】
本発明の請求項２記載の光ディスク判別方法は、請求項１において、ノイズ成分の検出に際しては、焦点位置を横断するように前記受光装置を移動させることを特徴とする。
本発明の請求項３記載の光ディスク判別方法は、請求項１において、ノイズ成分の検出に際しては、焦点位置に維持するように受光装置を移動させることを特徴とする。
【００２８】
本発明の請求項４記載の光ディスク判別方法は、請求項１において、ノイズ成分の検出に際しては、焦点位置の近傍に受光装置を移動させることを特徴とする。
本発明の請求項５記載の光ディスク判別方法は、請求項２〜請求項４の何れかにおいて、前記受光装置で受光した反射光の強度の信号、またはこの信号から変換されたＡＳ信号から検出したノイズ成分の振幅レベルと設定したスレッシュレベルを比較してノイズの有無を判断して光ディスクの種類を判別することを特徴とする。
【００２９】
本発明の請求項６記載の光ディスク判別方法は、請求項２〜請求項４の何れかにおいて、前記受光装置で受光した反射光の強度の信号、またはこの信号から変換されたＡＳ信号からノイズ成分を検出し、このノイズ成分の振幅レベルとさらにローパスフィルタを通過させた信号成分の振幅レベルとのレベル差に基づいて光ディスクの種類を判別することを特徴とする。
【００３０】
本発明の請求項７記載の光ディスク判別方法は、請求項２〜請求項４の何れかにおいて、前記受光装置で受光した反射光の強度の信号、またはこの信号から変換されたＡＳ信号からノイズ成分を検出し、そのノイズ発生の間隔に応じて光ディスクの種類を判別することを特徴とする。
【００３１】
本発明の請求項８記載の光ディスク判別方法は、請求項２〜請求項４の何れかにおいて、前記受光装置で受光した反射光の強度の信号、またはこの信号から変換されたＡＳ信号からノイズ成分を検出し、信号振幅を測定し始める測定開始タイミングと信号振幅の測定を中断する測定中断タイミングを生成し、前記測定中断タイミングから次の前記測定開始タイミングまでの区間の前記ノイズ成分をマスキングして計測しないで光ディスクの種類を判別することを特徴とする。
【００３２】
本発明の請求項９記載の光ディスク用信号処理回路は、回転駆動される光ディスクの記録面で反射された光ビームの強度に応じた信号からノイズ成分を検出するノイズ検出手段と、前記ノイズ検出手段でのノイズ検出結果を用いて装填されたディスクの種類を判定するディスク判別手段とを有し、ＤＶＤ−ＲＡＭアドレス部位置に対応するノイズ成分を検出した場合に、装填されたディスクの種類をＤＶＤ−ＲＡＭと判定するよう構成したことを特徴とする。
【００３３】
本発明の請求項１０記載の光ディスク用信号処理回路は、請求項９において、ノイズ検出手段は、前記光ディスクの記録面で反射された光ビームの強度に応じた信号に対するスレッシュレベルを保持するスレッシュレベル保持手段を有し、前記光ディスクの記録面で反射された光ビームの強度に応じた信号と前記スレッシュレベル保持手段が保持しているスレッシュレベルとを比較してＤＶＤ−ＲＡＭアドレス部の位置に対応するノイズ成分の有無を検出して装填されたディスクの種類をＤＶＤ−ＲＡＭと判定するよう構成したことを特徴とする。
【００３４】
本発明の請求項１１記載の光ディスク用信号処理回路は、請求項９において、ノイズ検出手段は、前記光ディスクの記録面で反射された光ビームの強度に応じた信号の間隔を検出する信号間隔計測手段と、ＤＶＤ−ＲＡＭアドレス部の位置に対応するノイズ成分の間隔を計測して基準値と比較して装填されたディスクの種類をＤＶＤ−ＲＡＭと判定する信号間隔計測手段とを有することを特徴とする。
【００３５】
本発明の請求項１２記載の光ディスク用信号処理回路は、請求項９において、ノイズ検出手段は、前記光ディスクの記録面で反射された光ビームの強度に応じた信号から不要ノイズの通過を阻止するノイズ除去フィルタと、前記光ディスクの記録面で反射された光ビームの強度に応じた信号と前記ノイズ除去フィルタを通過した信号振幅とを比較してＤＶＤ−ＲＡＭアドレス部の位置に対応するノイズ成分を検出して装填されたディスクの種類をＤＶＤ−ＲＡＭと判定するよう構成した信号振幅計測手段とを有することを特徴とする。
【００３６】
本発明の請求項１３記載の光ディスク用信号処理回路は、請求項９において、ノイズ検出手段は、前記光ディスクの記録面で反射された光ビームの強度に応じた信号から不要ノイズの通過を阻止するノイズ除去フィルタと、前記光ディスクの記録面で反射された光ビームの強度に応じた信号の信号振幅と前記ノイズ除去フィルタを通過した信号振幅とを比較してノイズの有無を判断する信号振幅計測手段と、受光手段がＣＡＰＡ領域の通過完了するタイミングを生成して前記信号振幅計測手段に信号振幅の測定期間と測定しないマスキング区間とを指示する窓関数形成手段とを有することを特徴とする。
【００３７】
本発明の請求項１４記載の光ディスク再生装置は、請求項９〜請求項１３のいずれかに記載の光ディスク用信号処理回路を備えたことを特徴とする。
本発明の請求項１５記載の光ディスク再生装置は、回転駆動される光ディスクの記録面で反射された光ビームの強度に応じた信号からノイズ成分を検出するノイズ検出手段と、前記ノイズ検出手段でのノイズ検出結果を用いて装填されたディスクの種類を判定するディスク判別手段とを持ち、ＤＶＤ−ＲＡＭアドレス部の位置に対応するノイズ成分を検出した場合に、装填されたディスクの種類をＤＶＤ−ＲＡＭと判定するよう構成するとともに、前記ノイズ検出手段が検出したＤＶＤ−ＲＡＭアドレス部の位置に対応するノイズ成分の間隔を計測する信号間隔計測手段と、前記光ディスクがＤＶＤ−ＲＡＭの場合に回転駆動速度が目標値になった場合のＤＶＤ−ＲＡＭアドレス部の位置の間隔を記憶した目標間隔情報保持手段と、前記信号間隔計測手段が検出した時々のノイズ成分の間隔と前記目標間隔情報保持手段が保持している間隔との偏差が小さくなるように前記光ディスクを回転駆動するスピンドルモータの回転を制御する回転制御手段とを設け、前記ディスク判別手段が装填されたディスクの種類をＤＶＤ−ＲＡＭと判定した場合に前記回転制御手段によって前記スピンドルモータの回転を制御するよう構成したことを特徴とする。
【発明の効果】
【００３８】
本発明の光ディスク判別方法によると、回転駆動される光ディスクの記録面に光ビームを照射し、前記記録面で反射された光ビームを受光する受光装置の出力信号からノイズ成分を検出し、前記ノイズ成分とＤＶＤ−ＲＡＭのアドレス部との相関性を判定して光ディスクの種類を判別するので、装填された光ディスクがＤＶＤ−ＲＡＭであることを簡潔かつ短時間に、確実に判別することが可能となる。
【発明を実施するための最良の形態】
【００３９】
以下、本発明の光ディスク判別方法を、具体的な各実施の形態に基づいて説明する。
（実施の形態１）
図１と図２および図３は、本発明の（実施の形態１）を示す。
【００４０】
図１は本発明の光ディスク判別方法を実行する機能を備えた光ディスク再生装置を示す。
この光ディスク再生装置は、ＤＶＤ，ＣＤ等の光ディスク１がスピンドルモータ２により回転駆動される。また、光ディスク１の下方には光ピックアップ３が位置している。この光ピックアップ３は、図示しないが半導体レーザ等からのレーザビームをアクチュエータレンズを介して前記光ディスク１に照射し、その反射光が４分割又は２分割のディテクタ等で受光検出する受光装置３ａと、受光装置３ａのアクチュエータレンズをフォーカシング制御のときには上下動させ、トラッキング制御のときには水平移動させて制御する受光装置移動手段３ｂを有している。
【００４１】
電気信号生成手段４は、受光装置３ａが光ディスク１から受けたレーザービームの反射光の強度に応じた電気信号に変換する。
光ディスク判別機能を備えた信号処理回路５は、光ディスク１の記録面からの反射光量のレベルを表すＡＳ信号を生成し、そのノイズ成分を検出し、検出したノイズ成分とＤＶＤ−ＲＡＭのアドレス部との相関性を判定して光ディスクの種類を判別するもので、サーボ信号生成手段６とノイズ検出手段７およびディスク判別手段８とで構成されている。
【００４２】
具体的には、サーボ信号生成手段６は、フォーカスエラー信号（ＦＥ信号）、トラッキングエラー信号（ＴＥ信号）、オールサム信号（ＡＳ信号）等を発生させてフォーカシング制御、トラッキング制御のために受光装置移動手段３ｂに送出すると共に、ノイズ検出手段７にも送出するよう構成されている。ノイズ検出手段７は、ＡＳ信号からＤＶＤ−ＲＡＭのアドレス部のＣＡＰＡ部に対応したノイズ信号を検出するように構成されている。ディスク判別手段８は、装填されたディスクの種類を、ノイズ検出手段７におけるノイズ検出の結果を用いて判定するよう構成されている。
【００４３】
図２はこのように構成された光ディスク再生装置における光ディスク判別のフローを示している。
ここで、光ディスク１の記録面でレーザービームが焦点を結ぶときの受光装置３ａの位置を焦点位置とする。
【００４４】
信号処理回路５は、まず、受光装置移動手段３ｂを用いて受光装置３ａをディスク１の記録面に対して垂直に、前記焦点位置を横断するように移動させる（１００）。受光装置３ａがちょうど焦点位置を通過する際に、受光装置３ａが受けるレーザービームの反射光量は極大になり、受光装置３ａが焦点位置の近傍にない場合には反射光量は非常に弱い。
【００４５】
次に、受光装置３ａが前記焦点位置の近傍を通過する際に、受光装置３ａが受ける反射光を電気信号生成手段４にて電気信号に変換する（１０１）。
次に、サーボ信号生成手段６にて変換された電気信号からＦＥ信号、ＴＥ信号、ＡＳ信号などのサーボ信号を生成する（１０２）。
【００４６】
次に、ＡＳ信号をノイズ検出手段７に送出し、ＡＳ信号にＤＶＤ−ＲＡＭのＣＡＰＡ部に対応したノイズ信号が含まれているかどうかを確認する（１０３）（１０４）。
もし、ノイズ検出手段７にてＤＶＤ−ＲＡＭのＣＡＰＡ部に対応したノイズ信号が含まれていないと判定した場合には、装填されたディスクはＤＶＤ−ＲＡＭでないと判断（１０７）し、ノイズ検出手段７にてノイズ信号が含まれていると判定した場合には、ノイズ信号がＤＶＤ−ＲＡＭのＣＡＰＡ位置に対応したものであるかどうかを確認（１０５）する。
【００４７】
もし、ノイズ信号がＤＶＤ−ＲＡＭのＣＡＰＡ位置に対応したものであれば、装填されたディスクはＤＶＤ−ＲＡＭであると判定（１０６）し、ノイズ信号がＤＶＤ−ＲＡＭのＣＡＰＡ位置に対応したものでなければ、装填されたディスクはＤＶＤ−ＲＡＭでないと判定する（１０７）。
【００４８】
図３は、受光装置が焦点位置を下から上に横断したときの、ＦＥ信号とＡＳ信号の例を表したものである。ＤＶＤ−ＲＯＭを装填した場合のＡＳ信号は通常であれば、焦点位置付近で信号レベルが最大となりノイズのない信号波形が観測できるが、ＤＶＤ−ＲＡＭを装填した場合のＡＳ信号は、受光装置３がＣＡＰＡ位置を通過した際にノイズ成分が重畳して観測される。このノイズ成分を検出することにより装填されたディスクの種類を判別することができる。
【００４９】
なお、信号処理回路５は、これを半導体集積回路で構成して市場に供給することができる。
このように構成したため、装填されたディスクの種類を短時間に判別して、この判別結果に基づいて光ピックアップ３，電気信号生成手段４，サーボ信号生成手段６などの制御用の各種のパラメータを装填された光ディスク１に適した値に設定することによって、ディスクを装填して運転を開始してからディスプレイ装置の画面に再生映像を比較的短時間で表示させることができる。
【００５０】
また、ＡＳ信号をもとにノイズ検出を行ったが、ＡＳ信号の代わりに、受光装置で受光した反射光の強度を電気信号に変換する電気信号をもとにノイズ検出を行うこともできる。
【００５１】
（実施の形態２）
図４と図５は、本発明の（実施の形態２）を示す。
（実施の形態１）では受光装置３ａが焦点位置を横断するように移動させた時のＡＳ信号中のノイズ成分を検出して光ディスクの種類を判別したが、この（実施の形態２）では受光装置３ａがフォーカスオン状態の時のＡＳ信号中のノイズ成分の間隔から光ディスク１の種類を判別するように信号処理回路５が構成されている点だけが異なっており、光ディスク再生装置の概略構成は図１と同等である。
【００５２】
この（実施の形態２）の信号処理回路５の具体的な構成を図４に示す。
具体的には、まず、受光装置移動手段３ｂを用いて受光装置３ａを光ディスク１の記録面に対して垂直に移動し、フォーカスＯＮ状態にする（１０８）。フォーカスＯＮ状態では、受光装置３ａが受けるレーザービームの反射光量は極大の状態が維持されるため、任意のタイミングで、受光装置３ａが受ける反射光を電気信号生成手段５を用いて電気信号に変換する（１０１）。
【００５３】
次に、サーボ信号生成手段６にて変換された電気信号からＦＥ信号、ＴＥ信号、ＡＳ信号などのサーボ信号を生成する（１０２）。
次に、ＡＳ信号をノイズ検出手段７に送出し、ＡＳ信号にＤＶＤ−ＲＡＭのＣＡＰＡ部に対応したノイズ信号が含まれているかどうかを判断する（１０３，１０４）。
【００５４】
もし、ノイズ検出手段７にてＤＶＤ−ＲＡＭのＣＡＰＡ部に対応したノイズ信号が含まれていない場合には、装填されたディスクはＤＶＤ−ＲＡＭでないと判定（１０７）する。
【００５５】
ノイズ検出手段７にてＤＶＤ−ＲＡＭのＣＡＰＡ部に対応したノイズ信号が含まれている場合には、ノイズ信号がＤＶＤ−ＲＡＭのＣＡＰＡ位置に対応したものであるかどうかを判断する（１０５）。もし、ノイズ信号がＤＶＤ−ＲＡＭのＣＡＰＡ位置に対応したものであれば、装填されたディスクはＤＶＤ−ＲＡＭであると判定（１０６）し、ノイズ信号がＤＶＤ−ＲＡＭのＣＡＰＡ位置に対応したものでなければ、装填されたディスクはＤＶＤ−ＲＡＭでないと判定（１０７）する。
【００５６】
フォーカスＯＮ状態でのＡＳ信号は、ＤＶＤ−ＲＯＭを装填した場合のＡＳ信号は、通常であれば、焦点位置付近で信号レベルが最大となりそのレベルを維持する波形が観測できるが、ＤＶＤ−ＲＡＭを装填した場合のＡＳ信号は、図５に示すように、光ピックアップ３がＣＡＰＡ位置を通過した際にノイズ成分信号Ｎが重畳して観測される。このノイズ成分を検出することにより、装填された光ディスクの種類を判別している。
【００５７】
前記ノイズ成分の検出は、下記の（実施例１）〜（実施例３）の何れかによって実現できる。
（実施例１）
前記ＡＳ信号の信号振幅を計測し、ＡＳ信号のノイズ成分を除去するためのフィルタを通過した信号の信号振幅を計測し、前記２つの信号振幅に応じてノイズの有無を判断する場合。
【００５８】
（実施例２）
ＡＳ信号の信号振幅レベルを計測し、この信号振幅レベルと設定されたスレッシュレベルと比較してノイズの有無を判断する場合。
なお、（実施例１）（実施例２）において、ＡＳ信号の信号振幅を測定し始める測定開始タイミングを生成し、その記測定開始タイミングに応じてＡＳ信号の振幅計測の起動を行う工程と、ＡＳ信号の信号振幅の測定を中断する測定中断タイミングを生成し、その測定中断タイミングに応じて、ＡＳ信号の振幅計測の中断を行う工程とを設けることによって、より正確に光ディスクの種類を判定できる。
【００５９】
（実施例３）
ＡＳ信号のノイズ成分信号Ｎを抽出し、抽出したノイズ成分信号の任意の信号間の間隔Ｔ１を測定し、測定した信号間の間隔に応じてノイズ成分信号がＤＶＤ−ＲＡＭのＣＡＰＡと相関性があるノイズ信号であるかを判断する。具体的には、図６と図７に示すように、まず，ノイズ抽出フィルタ２２を用いてＡＳ信号に含まれるノイズ成分を抽出した信号を生成する（１２８）。次に，時間間隔計測手段２３を用いて、ノイズ抽出フィルタ２２で抽出したノイズ成分の隣接するノイズ成分間の間隔Ｔ１を計測する（１２３）。次に計測結果と基準値を比較する（１２９）。ただし、基準値は規格および再生倍速により決まる値である。もしこの計測結果が基準値付近の値であれば、ノイズ抽出フィルタ２２で抽出したノイズ成分は、ＣＡＰＡ部に対応したノイズ信号であると判断し、さらに装填されているディスクはＤＶＤ−ＲＡＭであると判断する（１０６）。もしこの計測結果が基準値付近の値でなければ、ノイズ抽出フィルタ２２で抽出したノイズ成分は、ＣＡＰＡ部に対応したノイズ信号でないと判断し、さらに装填されているディスクはＤＶＤ−ＲＡＭ以外のディスクであると判断する（１０７）。
【００６０】
上記の（実施例１）〜（実施例３）などでは、ＡＳ信号をもとにノイズ検出を行ったが、ＡＳ信号の代わりに、受光装置で受光した反射光の強度を電気信号に変換する電気信号からノイズ検出を行うこともできる。
【００６１】
このように構成したため、装填されたディスクの種類を短時間に判別して、この判別結果に基づいて光ピックアップ３，電気信号生成手段４，サーボ信号生成手段などの制御用の各種のパラメータを装填された光ディスクに適した値に設定することによって、ディスクを装填して運転を開始してからディスプレイ装置の画面に再生映像を比較的短時間で表示させることができる。
【００６２】
（実施の形態３）
図８は本発明の（実施の形態３）を示す。
（実施の形態１）では受光装置３ａが焦点位置を横断するように移動させた時のＡＳ信号中のノイズ成分を検出して光ディスクの種類を判別したが、この（実施の形態３）では受光装置３ａが焦点位置の近傍に固定した時のＡＳ信号中のノイズ成分の間隔から光ディスクの種類を判別するように信号処理回路５が構成されている点だけが異なっており、光ディスク再生装置の概略構成は図１と同等である。
【００６３】
この（実施の形態３）の信号処理回路５の具体的な構成を図８に示す。
具体的には、まず、受光装置移動手段３ｂを用いて受光装置３ａを光ディスク１の記録面に対して垂直に移動し、焦点位置の近傍に固定する（１０９）。この状態では、フォーカスＯＮ状態ではないため受光装置３ａが受けるレーザービームの反射光量はディスク記録面の面振れなどの影響により極大の状態で維持される保障はないが、受光装置３ａには反射光が入ることが期待できる。
【００６４】
次に任意のタイミングで、受光装置３ａが受ける反射光を電気信号生成手段４を用いて電気信号に変換する（１０１）。
次に、サーボ信号生成手段６にて変換された電気信号からＦＥ信号、ＴＥ信号、ＡＳ信号などのサーボ信号を生成する（１０２）。
【００６５】
次に、ＡＳ信号をノイズ検出手段７に送出し、ＡＳ信号にＤＶＤ−ＲＡＭのＣＡＰＡ部に対応したノイズ信号が含まれているかどうかを確認する（１０３，１０４）。
もし、ノイズ検出手段７にてＤＶＤ−ＲＡＭのＣＡＰＡ部に対応したノイズ信号が含まれていない場合には、装填されたディスクはＤＶＤ−ＲＡＭでないと判定（１０７）する。
【００６６】
ノイズ検出手段７にてＤＶＤ−ＲＡＭのＣＡＰＡ部に対応したノイズ信号が含まれている場合には、ノイズ信号がＤＶＤ−ＲＡＭのＣＡＰＡ位置に対応したものであるかどうかを確認する（１０５）。もし、ノイズ信号がＤＶＤ−ＲＡＭのＣＡＰＡ位置に対応したものであれば、装填されたディスクはＤＶＤ−ＲＡＭであると判定し（１０６）、ノイズ信号がＤＶＤ−ＲＡＭのＣＡＰＡ位置に対応したものでなければ、装填されたディスクはＤＶＤ−ＲＡＭでないと判定（１０７）する。
【００６７】
受光装置３を焦点位置近傍に固定した場合のＡＳ信号は、前記の図５に示すようなＡＳ信号が観測できることが期待できる。よって、生成されたＡＳ信号を用いてノイズ検出を行ない、ＤＶＤ−ＲＡＭのＣＡＰＡを検出することによって装填されたディスクの種類を判定できる。
【００６８】
この（実施の形態３）において前記ノイズ成分とＤＶＤ−ＲＡＭのアドレス部のＣＡＰＡの相関性の判定の構成は、前記（実施の形態２）と同様に実現できる。
このように構成したため、装填されたディスクの種類を短時間に判別して、この判別結果に基づいて光ピックアップ３，電気信号生成手段４，サーボ信号生成手段などの制御用の各種のパラメータを装填された光ディスクに適した値に設定することによって、ディスクを装填して運転を開始してからディスプレイ装置の画面に再生映像を比較的短時間で表示させることができる。
【００６９】
（実施の形態４）
図９と図１０と図１１は、本発明の（実施の形態４）を示す。
なお、図９は図１におけるノイズ検出手段７の詳細な構成を示している。
【００７０】
前記ノイズ検出手段７は、図９に示すように信号振幅計測手段９とノイズ除去フィルタ１０とで構成されている。
ノイズ除去フィルタ１０は、サーボ信号生成手段６から送られるＡＳ信号のノイズ信号成分が除去されるように調整されたローパスフィルタである。信号振幅計測手段９は、サーボ信号生成手段６から送られるＡＳ信号の信号振幅を測定するとともに、これと、ノイズ除去フィルタ１０を通過した信号とを比較している。
【００７１】
このノイズ検出手段７とディスク判別手段８とが、図１０のフローチャートを実行するように構成されている。
具体的には、図２におけるノイズ信号検出処理（１０３）以降が図１０のように構成されている。
【００７２】
まず、サーボ信号生成手段６から送られるＡＳ信号の信号振幅を、信号振幅計測手段９を用いて計測する（１１０）。
次に、サーボ信号生成手段６から送られるＡＳ信号をノイズ除去フィルタ１０を通すことによりノイズ成分を除去し、信号振幅計測手段９を用いてもとのＡＳ信号のみを抽出した信号の信号振幅を測定する（１１１）。
【００７３】
以上の２つの信号振幅を比較（１１２，１１３）し、両者間に基準値を超える振幅差がある場合には、ノイズが検出されたとしてＤＶＤ−ＲＡＭであると判定（１０６）し、基準値を超える差がない場合には、ノイズが検出されないのでＤＶＤ−ＲＡＭでないと判定（１０７）し、ノイズ検出処理を終了する。
【００７４】
図１１は、受光装置３ａが前記焦点位置を下から上に横断したときのＡＳ信号について、ノイズ除去フィルタ１０の通過前後のＡＳ信号波形例を表したものである。
ＤＶＤ−ＲＡＭを装填した場合のＡＳ信号は、図１１に示すように、ピックアップがＣＡＰＡ位置を通過した際にノイズ成分が重畳して観測される。この信号振幅を計測し、「振幅１」とする。
【００７５】
次に、ＡＳ信号をノイズ除去フィルタ１０に通し、ノイズ除去された信号の信号振幅「振幅２と」する。「振幅１」と「振幅２」の差が任意の基準値を上回る場合にはＡＳ信号にノイズが重畳しているとして、装填されたディスクの種類をＤＶＤ−ＲＡＭと判定する。
【００７６】
なお、信号処理回路５は、これを半導体集積回路で構成して市場に供給することができる。
（実施の形態５）
図１２と図１３と図１４は、本発明の（実施の形態５）を示す。
【００７７】
なお、図１２は図１におけるノイズ検出手段７の詳細な構成を示している。
前記ノイズ検出手段７は、図１２に示すように信号振幅計測手段９とスレッシュレベル保持手段１１で構成されている。
【００７８】
信号振幅計測手段９は、（実施の形態４）の構成要素と同等であるので、説明を省略する。スレッシュレベル保持手段１１は、ＡＳ信号にＤＶＤ−ＲＡＭのＣＡＰＡ部に対応したノイズ信号が含まれているかどうかを判断するために使用し、ＡＳ信号の振幅のスレッシュレベルを保持する。
【００７９】
このノイズ検出手段７とディスク判別手段８とが、図１３のフローチャートを実行するように構成されている。具体的には、図２におけるノイズ信号検出処理（１０３）以降が図１０のように構成されている。
【００８０】
まず、スレッシュレベル保持手段１１に対して、スレッシュレベルを設定する（１１４）。信号振幅計測手段９を用いてサーボ信号生成手段６から送られるＡＳ信号の信号振幅を計測する（１１０）。
【００８１】
次に、スレッシュレベル保持手段１１を参照する（１１５）。以上２つの信号振幅を比較し（１１６）、基準値を超える差がある場合には、ノイズが検出されたのでＤＶＤ−ＲＡＭであると判断し（１０６）、基準値を超える差がない場合には、ノイズが検出されないのでＤＶＤ−ＲＡＭでないと判断して（１０７）ノイズ検出処理を終了する。
【００８２】
図１４は、光ピックアップ３が焦点位置を下から上に横断したときのＡＳ信号について、信号振幅計測手段９の入力側のＡＳ信号波形例を表したものである。ＤＶＤ−ＲＡＭを装填した場合のＡＳ信号は図１４に示すように、ピックアップがＣＡＰＡ位置を通過した際にノイズ成分Ｎが重畳して観測される。この信号振幅を計測し、信号振幅計測手段９は時々のノイズ成分の振幅を計測して「振幅１」とする。次に、スレッシュレベル保持手段１１に保持されたスレッシュレベルで「振幅１」をコンパレートして、「振幅１」がスレッシュレベルを規定以上に上回る場合にはＡＳ信号にノイズが重畳しているとして、装填されたディスクの種類をＤＶＤ−ＲＡＭと判別する。
【００８３】
なお、信号処理回路５は、これを半導体集積回路で構成して市場に供給することができる。
（実施の形態６）
この（実施の形態６）は図９に示した（実施の形態４）の変形例で、図１５と図１６と図１７は、本発明の（実施の形態６）を示す。
【００８４】
なお、図１５は図１におけるノイズ検出手段７の詳細な構成を示している。
前記ノイズ検出手段７は、図１５に示すように信号振幅計測手段９とノイズ除去フィルタ１０と信号振幅制御手段１４とタイミング生成手段１５で構成されている。
【００８５】
信号振幅計測手段９とノイズ除去フィルタ１０は、（実施の形態４）の構成要素と同等であるので説明を省略する。
タイミング生成手段１５は、ＡＳ信号の信号振幅を測定し始める測定開始タイミングおよび測定を中断する測定中断タイミングを生成する。具体的には、受光装置３ａがＣＡＰＡ領域付近を通過する時間間隔を生成する。隣接するＣＡＰＡの物理的距離は規格により決まっており、受光装置３ａがＣＡＰＡ領域付近を通過する時間間隔はディスクの回転数と、隣接するＣＡＰＡの物理的距離から決定される。
【００８６】
信号振幅制御手段１４は、タイミング生成手段１５を用いて生成したタイミングをもとにして、信号振幅計測手段９の起動制御および中断制御を行う。
次に、図１５に示す構成と図１６を用いて実際に動作する際の手順を説明する。具体的には、図１０における処理が図１６のように変更されている。
【００８７】
まず、タイミング生成手段１５の起動を行う（１１８）。タイミング生成手段１５は、受光装置３ａがＣＡＰＡ領域付近を通過すると予測されるタイミングを生成し、割込みによりサブルーチンを実行する。サブルーチンは信号振幅制御手段１４に対して振幅計測を開始する設定を行う（１２０および１２１および１２２）。
【００８８】
信号振幅制御手段１４は信号振幅計測手段９を起動し、前記ノイズ除去フィルタ１０を通していないＡＳ信号の信号振幅を計測する（１１０）。この信号振幅が前記「振幅１」である。
【００８９】
次に、タイミング生成手段１５は、受光手段がＣＡＰＡ領域の通過完了するタイミングを生成し、前記割込みにより信号振幅制御手段１４に対して振幅計測を中断する設定を行う（１２０および１２１および１２２）。信号振幅制御手段１４は信号振幅計測手段９を制御してＡＳ信号の信号振幅の計測を中断する。
【００９０】
もしＡＳ信号の信号振幅を計測するタイミングであれば、信号振幅計測手段９を用いてサーボ信号生成手段６から送られるＡＳ信号の信号振幅を計測し、ＡＳ信号の信号振幅を計測しないタイミングであれば、ＡＳ信号の信号振幅を計測せず、振幅ゼロを出力する。
【００９１】
次に、サーボ信号生成手段６から送られるＡＳ信号をノイズ除去フィルタ１０を通すことによりノイズ成分を除去し、信号振幅計測手段９を用いてもとのＡＳ信号のみを抽出した信号の信号振幅を測定する。この信号振幅が前記「振幅２」である。
【００９２】
次に、「振幅１」と「振幅２」とを比較し（１１２）、基準値を超える差がある場合には、ノイズが検出されたとしてＤＶＤ−ＲＡＭであると判断し（１１３，１０６）、基準値を超える差がない場合には、ノイズが検出されないとしてＤＶＤ−ＲＡＭでないと判断してノイズ検出処理を終了する（１１３，１０７）。
【００９３】
この信号処理の内容を表したものが図１７であって、ＡＳ信号中にＣＡＰＡ位置に対応したノイズＮ１とこれとは別にでディスク判別に必要としないノイズＮ２が含まれている。このＡＳ信号に対して、タイミング生成手段１５と信号振幅制御手段１４によって窓関数を発生し、この両者の掛け算によってＣＡＰＡ領域近傍のＡＳ信号の信号振幅だけを計測し、ＣＡＰＡ領域近傍以外のノイズＮ２を誤って振幅計測しないように構成されているため、基板上の配線から発生するノイズ信号や、ディスク表面の傷に起因するノイズ信号の影響を受ける可能性が低くなる。よって、ディスク判別の判別精度が向上する。
【００９４】
なお、信号処理回路５は、これを半導体集積回路で構成して市場に供給することができる。
（実施の形態７）
図１８と図１９は本発明の（実施の形態７）のディスク判別方法を実行する機能を備えた光ディスク再生装置を示す。
【００９５】
図１に示した光ディスク再生装置では、サーボ信号生成手段６にて変換されたＡＳ信号をノイズ検出手段７に入力して処理してディスク判別装置８で光ディスクの種別を判別したが、この図１８に示した信号処理回路５Ａでは電気信号生成手段４の出力に発生している前記受光装置で受光した反射光の強度を電気信号を、前記ノイズ検出手段７に直接に入力して処理してディスク判別装置８で光ディスクの種別を判別している点だけが異なっている。
【００９６】
図１９はその構成を示しており、ディスク判別の工程においては図２におけるフローチャートのステップ１０２を削除している点が異なっており、より迅速に光ディスクの種類を判別できる。
【００９７】
（実施の形態２）〜（実施の形態６）の判別方法においても、この（実施の形態７）と同様に、ＡＳ信号に代わって電気信号生成手段４の出力に発生している前記受光装置で受光した反射光の強度を電気信号を、前記ノイズ検出手段７に直接に入力して処理してディスク判別装置８で光ディスクの種別を判別することができる。
【００９８】
（実施の形態８）
図２０は光ディスクの種類の判別の際のノイズ検出の際に、焦点位置を横断するように前記受光装置３ａを移動させて、検出したノイズの間隔に基づいてＤＶＤ−ＲＡＭかどうかを判別すると共に、装填された光ディスクがＤＶＤ−ＲＡＭである場合に、検出しているノイズの間隔がＤＶＤ−ＲＡＭの間隔に近づくようにスピンドルモータ２を回転制御するように構成された光ディスク再生装置である。
【００９９】
図２１は図２０における回転制御の部分を抜き出して書いたものである。まず、この図２１を説明する。
ここでは、ＤＶＤ−ＲＡＭディスクが装填された場合を想定して説明する。
【０１００】
図２１において、光ピックアップ３，電気信号生成手段４，サーボ信号生成手段６，ノイズ検出手段７は上記の実施の形態と同様である。
信号処理回路５Ｂの回転制御にかかわる部分は、下記のものから構成されている。
【０１０１】
ノイズ間隔計測手段１７は、ノイズ検出手段７で検出したＤＶＤ−ＲＡＭのＣＡＰＡ部に対応したノイズ信号の時間間隔を計測することにより、受光装置３が隣接するＣＡＰＡ領域を通過するに要する時間を計測する。具体的な構成は、先に説明した図６，図７と同じである。
【０１０２】
目標間隔情報保持手段２０は、目標とするディスクの回転数に到達した場合に、受光装置３が隣接するＣＡＰＡ領域を通過するに要する時間情報を保持している。
回転制御手段２１は、ノイズ間隔計測手段１７が検出する時々の時間間隔が、目標間隔情報保持手段２０の保持している時間間隔に近づくように、スピンドルモータ２の回転数を上下させる制御を行う。
【０１０３】
図２２は図２１に抜き出した構成のフローチャートを示している。
まず、受光装置３ａを光ディスクの記録面に対して垂直に、焦点位置を横断するように移動させる（１００）。
【０１０４】
次に、受光装置３ａが焦点位置近傍を通過する際に、受光装置３ａが受ける反射光を電気信号生成手段４にて電気信号に変換する（１０１）。
次に、サーボ信号生成手段６にて変換された電気信号からＦＥ信号、ＴＥ信号、ＡＳ信号などのサーボ信号を生成する（１０２）。
【０１０５】
次に、ＡＳ信号をノイズ検出手段７に送出し、ＡＳ信号にＤＶＤ−ＲＡＭのＣＡＰＡ部に対応したノイズ信号が含まれているかどうかを確認する（１０３）。
ここでのノイズの検出方法は上記実施の形態の何れであってもよい。
【０１０６】
次に、間隔計測手段１７を用いてノイズ検出手段７で検出したノイズ成分の隣接するノイズ成分間の時間間隔を計測する（１２３）。具体的には図２３（ａ）に示すように、ノイズ成分間を一定のカウントクロックでカウントし、つぎのノイズ成分までのカウント数を時間間隔情報として使用する。
【０１０７】
次に、目標間隔情報保持手段２０を参照し、ノイズ間隔計測手段１７を用いて計測したノイズ間隔と比較する（１２４）。もしノイズ間隔計測手段１７を用いて計測した時間の方が大きい場合には、目標とするディスクの回転数に到達していないと考えられるので、ディスクの回転数を上げるための制御を行う（１２７）。もし目標間隔情報保持手段２０が保持している時間情報の方が大きい場合には、目標とするディスクの回転数よりも速く回転していると考えられるので、ディスクの回転数を上げるための制御を行う（１２５）。両者が等しい場合には、目標とするディスクの回転数で回転していると考えられるため、現在の回転数を維持する制御を行う（１２６）。
【０１０８】
この回転数制御を行うための手段をブロック図で記載すると図２３（ｂ）に示すように、時々のスピンドルモータ２への駆動出力と目標間隔情報保持手段２０の出力と間隔計測手段１７の出力とを入力とした加算器５０として表示することが出来、加算器５０は間隔の偏差が無くなるようにスピンドルモータ２への駆動出力を補正してスピンドルモータ２に印加する出力電圧を制御することによりディスクの回転数を制御する。
【０１０９】
このようにして装填された光ディスクがＤＶＤ−ＲＡＭディスクの場合には、ノイズ検出手段７の出力に基づいて回転制御手段２１の出力によって、従来よりも迅速にＤＶＤ−ＲＡＭディスクの回転を安定させることが出来、光ディスクを装填して運転を開始してからディスプレイ装置の画面に再生映像を比較的短時間で表示させることに貢献できる。
【０１１０】
図２１の構成を示す図２４のフローチャートでは、ノイズ検出手段７の出力に基づいて光ディスクの種類を判別するディスク判別手段８のステップが、図２２のフローチャートにおけるノイズ間隔計測処理のステップ１２３と、目標間隔情報保持手段２０を参照してノイズ間隔計測手段１７を用いて計測したノイズ間隔と比較するステップ１２４との間に介装されている。
【０１１１】
図２４では、ノイズ間隔計測処理のステップ１２３に次いで、ステップ１３１では、ノイズ検出手段７が検出したノイズの間隔が、ＤＶＤ−ＲＡＭのアドレス部ＣＡＰＡとの相関性を判定して相関性があると判定した場合には、ステップ１０６において装填中の光ディスクがＤＶＤ−ＲＡＭであると判定し、光ピックアップ３，電気信号生成手段４，サーボ信号生成手段などの制御用の各種のパラメータを装填された光ディスクに適した値に設定し、ステップ１２４を実行する。
【０１１２】
ステップ１３１において、ＤＶＤ−ＲＡＭのアドレス部ＣＡＰＡとの相関性がないと判定した場合には、ステップ１０７において装填中の光ディスクがＤＶＤ−ＲＡＭでないと判定し、ＤＶＤ−ＲＡＭ用パラメータへの切り換えを実行せずに従来の回転制御１３２を実行する。従来の回転制御とは、ＦＧ信号を入力信号として目標値まで回転速度を上げる制御などである。
【０１１３】
この実施の形態では、ノイズ検出手段７はサーボ信号生成手段６の出力の例えばＡＳ信号を入力信号として制御したが、先の実施の形態のように電気信号生成手段４の出力を入力信号として処理することも出来る。
【０１１４】
なお、図２０の信号処理回路５Ｂを半導体集積回路で構成して市場に供給することができる。また、図２１と図２２を光ディスク再生装置の光ディスク用信号処理回路の一部として説明したが、これだけを半導体集積回路で構成して市場に供給して回転制御に寄与することもできる。
【産業上の利用可能性】
【０１１５】
本発明の光ディスク判別方法および光ディスク用信号処理回路は、複数の光ディスクの種類を判別するディスク判別処理に有用である。また、ＤＶＤ−ＲＡＭディスクのＣＡＰＡを検出する機構および機能は、ディスクの回転数を制御する用途にも応用できる。
【図面の簡単な説明】
【０１１６】
【図１】本発明の光ディスク判別方法を実行する実施の形態１の光ディスク再生装置の構成図
【図２】同実施の形態の光ディスク判別過程のフローチャート
【図３】同実施の形態において光ピックアップが焦点位置を横断したときのＡＳ信号の波形図
【図４】本発明の光ディスク判別方法を実行する実施の形態２の光ディスク再生装置の光ディスク判別過程のフローチャート
【図５】同実施の形態において光ピックアップがフォーカスＯＮ状態のＡＳ信号の波形図
【図６】同実施の形態の要部の構成図
【図７】図６のフローチャート
【図８】本発明の光ディスク判別方法を実行する実施の形態３の光ディスク再生装置の光ディスク判別過程のフローチャート
【図９】本発明の光ディスク判別方法を実行する実施の形態４の光ディスク再生装置の要部の構成図
【図１０】同実施の形態の光ディスク再生装置の光ディスク判別過程のフローチャート
【図１１】同実施の形態のノイズ除去フィルタ前後のＡＳ信号例
【図１２】本発明の光ディスク判別方法を実行する実施の形態５の光ディスク再生装置の要部の構成図
【図１３】同実施の形態の光ディスク再生装置の光ディスク判別過程のフローチャート
【図１４】同実施の形態のＡＳ信号例とＣＡＰＡ検出用スレッショルドレベルの説明図
【図１５】本発明の光ディスク判別方法を実行する実施の形態６の光ディスク再生装置の要部の構成図
【図１６】同実施の形態の光ディスク再生装置の光ディスク判別過程のフローチャート
【図１７】同実施の形態の要部の信号波形図
【図１８】本発明の光ディスク判別方法を実行する実施の形態７の光ディスク再生装置の構成図
【図１９】同実施の形態の光ディスク再生装置の光ディスク判別過程のフローチャート
【図２０】本発明の光ディスク判別方法を実行する実施の形態８の光ディスク再生装置の構成図
【図２１】同実施の形態の光ディスク再生装置の回転制御系の構成図
【図２２】図２１の回転制御系のフローチャート
【図２３】図２１のＣＡＰＡの間隔を計測する説明図と具体回路の説明図
【図２４】同実施の形態のフローチャート
【図２５】光ディスク再生装置の一般的な構成図
【図２６】従来のディスク判別フロー図
【図２７】ＤＶＤ−ＲＡＭにおける物理的なアドレス、データ形成の説明図
【図２８】従来のＤＶＤ−ＲＡＭ判別フロー図
【図２９】ディスクごとのＰＰＴＥ信号の振幅波形図
【符号の説明】
【０１１７】
１    光ディスク
２    スピンドルモータ
３    光ピックアップ
４    電気信号生成手段
５，５Ｂ    信号処理回路
６    サーボ信号生成手段
７    ノイズ検出手段
８    ディスク判別手段
９    信号振幅計測手段
１０    ノイズ除去フィルタ
１１    スレッシュレベル保持手段
１４    信号振幅計測手段
１５    タイミング生成手段
１６    窓関数形成手段
１７    間隔計測手段
２０    目標間隔情報保持手段
２１    回転制御手段
２２    ノイズ抽出フィルタ
２３    信号間隔計測手段
３４    ＡＳ信号
【図１】
2006018931.tif 000003
【図２】
2006018931.tif 000004
【図３】
2006018931.tif 000005
【図４】
2006018931.tif 000006
【図５】
2006018931.tif 000007
【図６】
2006018931.tif 000008
【図７】
2006018931.tif 000009
【図８】
2006018931.tif 000010
【図９】
2006018931.tif 000011
【図１０】
2006018931.tif 000012
【図１１】
2006018931.tif 000013
【図１２】
2006018931.tif 000014
【図１３】
2006018931.tif 000015
【図１４】
2006018931.tif 000016
【図１５】
2006018931.tif 000017
【図１６】
2006018931.tif 000018
【図１７】
2006018931.tif 000019
【図１８】
2006018931.tif 000020
【図１９】
2006018931.tif 000021
【図２０】
2006018931.tif 000022
【図２１】
2006018931.tif 000023
【図２２】
2006018931.tif 000024
【図２３】
2006018931.tif 000025
【図２４】
2006018931.tif 000026
【図２５】
2006018931.tif 000027
【図２６】
2006018931.tif 000028
【図２７】
2006018931.tif 000029
【図２８】
2006018931.tif 000030
【図２９】
2006018931.tif 000031